(57)【要約】【課題】  撮影した被写体の情報を取得して有効に活用することができる被写体情報取得装置、被写体情報取得方法及び被写体情報取得用プログラムを提供する。【解決手段】  撮影装置１０は、本発明の被写体情報取得装置を備えており、撮影した被写体Ａに取り付けられた位置情報発信器１００Ａから発信される被写体を特定するための被写体特定情報（位置情報）を含む位置情報信号Ｓ１Ａを受信するための位置情報受信部１２を備える。撮影装置１０は、この位置情報に基づいて、被写体を特定する。そして、撮影装置１０は、測定した被写体に係る被写体情報を取得して、取得した被写体情報と画像とを関連付けて保存する。【選択図】      図１
2007124034.tif 000002
【特許請求の範囲】
【請求項１】
被写体に関する被写体情報をあらかじめ記憶している被写体情報記憶手段と、
被写体の画像を取得する画像取得手段と、
前記画像に写っている被写体を特定するための被写体特定情報を取得する被写体特定情報取得手段と、
前記取得した被写体特定情報に基づいて前記被写体情報記憶手段を参照して、前記被写体に関する被写体情報を取得する被写体情報取得手段と、
前記取得した被写体情報と前記画像とを関連付けて記憶する記憶手段と、
を備えることを特徴とする被写体情報取得装置。
【請求項２】
被写体の画像を取得する画像取得手段と、
前記画像に写っている被写体を特定するための被写体特定情報を取得する被写体特定情報取得手段と、
ネットワーク上に配置され、前記被写体に関する被写体情報をあらかじめ記憶している被写体情報記憶手段に接続するための接続手段と、
前記取得した被写体特定情報に基づいて前記被写体情報記憶手段を参照して、前記被写体に関する被写体情報を取得する被写体情報取得手段と、
前記取得した被写体情報と前記画像とを関連付けて記憶する記憶手段と、
を備えることを特徴とする被写体情報取得装置。
【請求項３】
前記被写体特定情報取得手段は、前記被写体の位置情報を取得して、前記被写体を特定し、
前記被写体情報取得手段は、前記特定した被写体に関する被写体情報を取得することを特徴とする請求項１又は２記載の被写体情報取得装置。
【請求項４】
前記被写体特定情報取得手段は、前記被写体の撮影時に、前記被写体又は被写体の近傍に取り付けられた位置情報発信器から発信される位置情報信号から、前記被写体の位置情報を取得することを特徴とする請求項３記載の被写体情報取得装置。
【請求項５】
前記画像の撮影時における撮影条件情報を取得する撮影条件取得手段と、
前記取得した撮影条件情報及び被写体特定情報に基づいて、前記画像に写っている被写体の中から主要被写体を特定する主要被写体特定手段とを更に備え、
前記被写体情報取得手段は、前記主要被写体の被写体情報を取得し、
前記記憶手段は、前記取得した主要被写体の被写体情報と前記画像とを関連付けて記憶することを特徴とする請求項１から４のいずれか１項記載の被写体情報取得装置。
【請求項６】
被写体の画像を撮影する撮影手段と、
前記撮影時に、被写体又は被写体の近傍に取り付けられた情報発信器から発信された被写体情報を取得する被写体情報取得手段と、
前記取得した被写体情報と前記画像とを関連付けて記憶する記憶手段と、
を備えることを特徴とする被写体情報取得装置。
【請求項７】
前記被写体の画像の撮影時における撮影条件情報を取得する撮影条件取得手段と、
前記取得した撮影条件情報及び被写体情報に基づいて、前記画像に写っている被写体の中から主要被写体を特定する主要被写体特定手段とを更に備え、
前記記憶手段は、前記取得した主要被写体の被写体情報と前記画像とを関連付けて記憶することを特徴とする請求項６記載の被写体情報取得装置。
【請求項８】
前記撮影条件情報は、前記被写体の画像を撮影した撮影装置の位置情報、向き情報、フォーカス位置又はズーム位置のうち少なくとも１つを含むことを特徴とする請求項５又は７記載の被写体情報取得装置。
【請求項９】
被写体の画像を取得する画像取得工程と、
前記画像に写っている被写体を特定するための被写体特定情報を取得する被写体特定情報取得工程と、
前記取得した被写体特定情報に基づいて、前記被写体に関する被写体情報をあらかじめ記憶している前記被写体情報記憶手段を参照して、前記被写体に関する被写体情報を取得する被写体情報取得工程と、
前記取得した被写体情報と前記画像とを関連付けて記憶する記憶工程と、
を備えることを特徴とする被写体情報取得方法。
【請求項１０】
被写体の画像を取得する画像取得工程と、
前記画像に写っている被写体を特定するための被写体特定情報を取得する被写体特定情報取得工程と、
ネットワーク上に配置され、前記被写体に関する被写体情報をあらかじめ記憶している被写体情報記憶手段に接続する接続工程と、
前記取得した被写体特定情報に基づいて、前記被写体情報記憶手段を参照して、前記被写体に関する被写体情報を取得する被写体情報取得工程と、
前記取得した被写体情報と前記画像とを関連付けて記憶する記憶工程と、
を備えることを特徴とする被写体情報取得方法。
【請求項１１】
前記画像の撮影時における撮影条件情報を取得する撮影条件取得工程と、
前記取得した撮影条件情報及び被写体特定情報に基づいて、前記画像に写っている被写体の中から主要被写体を特定する主要被写体特定工程とを更に備え、
前記被写体情報取得工程では、前記主要被写体の被写体情報を取得し、
前記記憶工程では、前記取得した主要被写体の被写体情報と前記画像とを関連付けて記憶することを特徴とする請求項９又は１０記載の被写体情報取得方法。
【請求項１２】
被写体の画像を撮影する撮影工程と、
前記撮影時に、被写体又は被写体の近傍に取り付けられた情報発信器から発信された被写体情報を取得する被写体情報取得工程と、
前記取得した被写体情報と前記画像とを関連付けて記憶する記憶工程と、
を備えることを特徴とする被写体情報取得方法。
【請求項１３】
前記被写体の画像の撮影時における撮影条件情報を取得する撮影条件取得工程と、
前記取得した撮影条件情報及び被写体情報に基づいて、前記画像に写っている被写体の中から主要被写体を特定する主要被写体特定工程とを更に備え、
前記記憶工程では、前記取得した主要被写体の被写体情報と前記画像とを関連付けて記憶することを特徴とする請求項１２記載の被写体情報取得方法。
【請求項１４】
被写体の画像を取得する画像取得機能と、
前記画像に写っている被写体を特定するための被写体特定情報を取得する被写体特定情報取得機能と、
前記取得した被写体特定情報に基づいて、前記被写体に関する被写体情報をあらかじめ記憶している前記被写体情報記憶手段を参照して、前記被写体に関する被写体情報を取得する被写体情報取得機能と、
前記取得した被写体情報と前記画像とを関連付けて記憶する記憶機能と、
をコンピュータに実現させることを特徴とする被写体情報取得用プログラム。
【請求項１５】
被写体の画像を取得する画像取得機能と、
前記画像に写っている被写体を特定するための被写体特定情報を取得する被写体特定情報取得機能と、
ネットワーク上に配置され、前記被写体に関する被写体情報をあらかじめ記憶している被写体情報記憶手段に接続する接続機能と、
前記取得した被写体特定情報に基づいて、前記被写体情報記憶手段を参照して、前記被写体に関する被写体情報を取得する被写体情報取得機能と、
前記取得した被写体情報と前記画像とを関連付けて記憶する記憶機能と、
をコンピュータに実現させることを特徴とする被写体情報取得用プログラム。
【請求項１６】
前記画像の撮影時における撮影条件情報を取得する撮影条件取得機能と、
前記取得した撮影条件情報及び被写体特定情報に基づいて、前記画像に写っている被写体の中から主要被写体を特定する主要被写体特定機能と、
前記被写体情報取得機能において、前記主要被写体の被写体情報を取得する機能と、
前記記憶機能において、前記取得した主要被写体の被写体情報と前記画像とを関連付けて記憶する機能と、
をコンピュータに実現させることを特徴とする請求項１４又は１５記載の被写体情報取得用プログラム。
【請求項１７】
被写体の画像を撮影する撮影機能と、
前記撮影時に、被写体又は被写体の近傍に取り付けられた情報発信器から発信された被写体情報を取得する被写体情報取得機能と、
前記取得した被写体情報と前記画像とを関連付けて記憶する記憶機能と、
をコンピュータに実現させることを特徴とする被写体情報取得用プログラム。
【請求項１８】
前記被写体の画像の撮影時における撮影条件情報を取得する撮影条件取得機能と、
前記取得した撮影条件情報及び被写体情報に基づいて、前記画像に写っている被写体の中から主要被写体を特定する主要被写体特定機能と、
前記記憶機能において、前記取得した主要被写体の被写体情報と前記画像とを関連付けて記憶する機能と、
をコンピュータに実現させることを特徴とする請求項１７記載の被写体情報取得用プログラム。
【発明の詳細な説明】
【技術分野】
【０００１】
本発明は被写体情報取得装置、被写体情報取得方法及び被写体情報取得用プログラムに係り、特に撮影した被写体に関する情報を取得する技術に関する。
【背景技術】
【０００２】
特許文献１には、撮影した被写体を特定する情報を被写体の画像に合成して表示する画像認識装置について開示されている。これは、撮影したデジタル画像の特徴を抽出して撮影した被写体を認識し、認識した被写体を特定する情報を読み出して画像とともに表示するものである。
【特許文献１】特開２０００−１１３０９７号公報
【発明の開示】
【発明が解決しようとする課題】
【０００３】
上記の特許文献１に開示された画像認識装置は、撮影した画像に複数の被写体が写っている場合には、被写体を認識するのが困難であるという問題があった。
【０００４】
本発明はこのような事情に鑑みてなされたもので、撮影した被写体の情報を取得して有効に活用することができる被写体情報取得装置、被写体情報取得方法及び被写体情報取得用プログラムを提供することを目的とする。
【課題を解決するための手段】
【０００５】
上記目的を達成するために請求項１に係る被写体情報取得装置は、被写体に関する被写体情報をあらかじめ記憶している被写体情報記憶手段と、被写体の画像を取得する画像取得手段と、前記画像に写っている被写体を特定するための被写体特定情報を取得する被写体特定情報取得手段と、前記取得した被写体特定情報に基づいて前記被写体情報記憶手段を参照して、前記被写体に関する被写体情報を取得する被写体情報取得手段と、前記取得した被写体情報と前記画像とを関連付けて記憶する記憶手段とを備えることを特徴とする。
【０００６】
請求項１に係る被写体情報取得装置によれば、撮影した被写体を特定する被写体特定情報に基づいて、被写体情報記憶手段にあらかじめ記憶された被写体情報を読み出して、画像と関連付けて保存することができる。これにより、画像の再生時に被写体情報を画像と一緒に表示させたり、被写体情報を画像の分類に利用することができる。
【０００７】
請求項２に係る被写体情報取得装置は、被写体の画像を取得する画像取得手段と、前記画像に写っている被写体を特定するための被写体特定情報を取得する被写体特定情報取得手段と、ネットワーク上に配置され、前記被写体に関する被写体情報をあらかじめ記憶している被写体情報記憶手段に接続するための接続手段と、前記取得した被写体特定情報に基づいて前記被写体情報記憶手段を参照して、前記被写体に関する被写体情報を取得する被写体情報取得手段と、前記取得した被写体情報と前記画像とを関連付けて記憶する記憶手段とを備えることを特徴とする。
【０００８】
請求項２に係る被写体情報取得装置によれば、被写体特定情報に基づいて、ネットワークから被写体情報を取得して、画像データと関連付けて保存することができる。これにより、画像の再生時に被写体情報を画像と一緒に表示させたり、被写体情報を画像の分類に利用することができる。
【０００９】
請求項３に係る被写体情報取得装置は、請求項１又は２において、前記被写体特定情報取得手段は、前記被写体の位置情報を取得して、前記被写体を特定し、前記被写体情報取得手段は、前記特定した被写体に関する被写体情報を取得することを特徴とする。請求項３は、被写体特定情報を被写体の撮影時における位置情報又はＧＰＳ情報に限定したものである。
【００１０】
請求項４に係る被写体情報取得装置は、請求項３において、前記被写体特定情報取得手段は、前記被写体の撮影時に、前記被写体又は被写体の近傍に取り付けられた位置情報発信器から発信される位置情報信号から、前記被写体の位置情報を取得することを特徴とする。請求項４は、請求項３において、被写体の位置情報を取得する手段を限定したものである。
【００１１】
請求項５に係る被写体情報取得装置は、請求項１から４において、前記画像の撮影時における撮影条件情報を取得する撮影条件取得手段と、前記取得した撮影条件情報及び被写体特定情報に基づいて、前記画像に写っている被写体の中から主要被写体を特定する主要被写体特定手段とを更に備え、前記被写体情報取得手段は、前記主要被写体の被写体情報を取得し、前記記憶手段は、前記取得した主要被写体の被写体情報と前記画像とを関連付けて記憶することを特徴とする。
【００１２】
請求項５に係る被写体情報取得装置によれば、例えば、複数の被写体を撮影した際に、被写体ごとの合焦状態等に基づいて主要被写体を特定し、この主要被写体の被写体情報を選択的に取得して保存することができる。
【００１３】
請求項６に係る被写体情報取得装置は、被写体の画像を撮影する撮影手段と、前記撮影時に、被写体又は被写体の近傍に取り付けられた情報発信器から発信された被写体情報を取得する被写体情報取得手段と、前記取得した被写体情報と前記画像とを関連付けて記憶する記憶手段とを備えることを特徴とする。
【００１４】
請求項６に係る被写体情報取得装置によれば、撮影した被写体から被写体情報を取得して、画像と関連付けて保存することができる。これにより、画像の再生時に被写体情報を画像と一緒に表示させたり、被写体情報を画像の分類に利用することができる。
【００１５】
請求項７に係る被写体情報取得装置は、請求項６において、前記被写体の画像の撮影時における撮影条件情報を取得する撮影条件取得手段と、前記取得した撮影条件情報及び被写体情報に基づいて、前記画像に写っている被写体の中から主要被写体を特定する主要被写体特定手段とを更に備え、前記記憶手段は、前記取得した主要被写体の被写体情報と前記画像とを関連付けて記憶することを特徴とする。
【００１６】
請求項７に係る被写体情報取得装置によれば、例えば、複数の被写体を撮影した際に、被写体ごとの合焦状態等に基づいて主要被写体を特定し、この主要被写体の被写体情報を選択的に取得して保存することができる。
【００１７】
請求項８に係る被写体情報取得装置は、請求項５又は７において、前記撮影条件情報は、前記被写体の画像を撮影した撮影装置の位置情報、向き情報、フォーカス位置又はズーム位置のうち少なくとも１つを含むことを特徴とする。請求項８は、請求項５又は７において、撮影条件情報を限定したものである。
【００１８】
請求項９に係る被写体情報取得方法は、被写体の画像を取得する画像取得工程と、前記画像に写っている被写体を特定するための被写体特定情報を取得する被写体特定情報取得工程と、前記取得した被写体特定情報に基づいて、前記被写体に関する被写体情報をあらかじめ記憶している前記被写体情報記憶手段を参照して、前記被写体に関する被写体情報を取得する被写体情報取得工程と、前記取得した被写体情報と前記画像とを関連付けて記憶する記憶工程とを備えることを特徴とする。
【００１９】
請求項１０に係る被写体情報取得方法は、被写体の画像を取得する画像取得工程と、前記画像に写っている被写体を特定するための被写体特定情報を取得する被写体特定情報取得工程と、ネットワーク上に配置され、前記被写体に関する被写体情報をあらかじめ記憶している被写体情報記憶手段に接続する接続工程と、前記取得した被写体特定情報に基づいて、前記被写体情報記憶手段を参照して、前記被写体に関する被写体情報を取得する被写体情報取得工程と、前記取得した被写体情報と前記画像とを関連付けて記憶する記憶工程とを備えることを特徴とする。
【００２０】
請求項１１に係る被写体情報取得方法は、請求項９又は１０において、前記画像の撮影時における撮影条件情報を取得する撮影条件取得工程と、前記取得した撮影条件情報及び被写体特定情報に基づいて、前記画像に写っている被写体の中から主要被写体を特定する主要被写体特定工程とを更に備え、前記被写体情報取得工程では、前記主要被写体の被写体情報を取得し、前記記憶工程では、前記取得した主要被写体の被写体情報と前記画像とを関連付けて記憶することを特徴とする。
【００２１】
請求項１２に係る被写体情報取得方法は、被写体の画像を撮影する撮影工程と、前記撮影時に、被写体又は被写体の近傍に取り付けられた情報発信器から発信された被写体情報を取得する被写体情報取得工程と、前記取得した被写体情報と前記画像とを関連付けて記憶する記憶工程とを備えることを特徴とする。
【００２２】
請求項１３に係る被写体情報取得方法は、請求項１２において、前記被写体の画像の撮影時における撮影条件情報を取得する撮影条件取得工程と、前記取得した撮影条件情報及び被写体情報に基づいて、前記画像に写っている被写体の中から主要被写体を特定する主要被写体特定工程とを更に備え、前記記憶工程では、前記取得した主要被写体の被写体情報と前記画像とを関連付けて記憶することを特徴とする。
【００２３】
請求項１４に係る被写体情報取得用プログラムは、被写体の画像を取得する画像取得機能と、前記画像に写っている被写体を特定するための被写体特定情報を取得する被写体特定情報取得機能と、前記取得した被写体特定情報に基づいて、前記被写体に関する被写体情報をあらかじめ記憶している前記被写体情報記憶手段を参照して、前記被写体に関する被写体情報を取得する被写体情報取得機能と、前記取得した被写体情報と前記画像とを関連付けて記憶する記憶機能とをコンピュータに実現させることを特徴とする。
【００２４】
請求項１５に係る被写体情報取得用プログラムは、被写体の画像を取得する画像取得機能と、前記画像に写っている被写体を特定するための被写体特定情報を取得する被写体特定情報取得機能と、ネットワーク上に配置され、前記被写体に関する被写体情報をあらかじめ記憶している被写体情報記憶手段に接続する接続機能と、前記取得した被写体特定情報に基づいて、前記被写体情報記憶手段を参照して、前記被写体に関する被写体情報を取得する被写体情報取得機能と、前記取得した被写体情報と前記画像とを関連付けて記憶する記憶機能とをコンピュータに実現させることを特徴とする。
【００２５】
請求項１６に係る被写体情報取得用プログラムは、請求項１４又は１５において、前記画像の撮影時における撮影条件情報を取得する撮影条件取得機能と、前記取得した撮影条件情報及び被写体特定情報に基づいて、前記画像に写っている被写体の中から主要被写体を特定する主要被写体特定機能と、前記被写体情報取得機能において、前記主要被写体の被写体情報を取得する機能と、前記記憶機能において、前記取得した主要被写体の被写体情報と前記画像とを関連付けて記憶する機能とをコンピュータに実現させることを特徴とする。
【００２６】
請求項１７に係る被写体情報取得用プログラムは、被写体の画像を撮影する撮影機能と、前記撮影時に、被写体又は被写体の近傍に取り付けられた情報発信器から発信された被写体情報を取得する被写体情報取得機能と、前記取得した被写体情報と前記画像とを関連付けて記憶する記憶機能とをコンピュータに実現させることを特徴とする。
【００２７】
請求項１８に係る被写体情報取得用プログラムは、請求項１７において、前記被写体の画像の撮影時における撮影条件情報を取得する撮影条件取得機能と、前記取得した撮影条件情報及び被写体情報に基づいて、前記画像に写っている被写体の中から主要被写体を特定する主要被写体特定機能と、前記記憶機能において、前記取得した主要被写体の被写体情報と前記画像とを関連付けて記憶する機能とをコンピュータに実現させることを特徴とする。
【００２８】
請求項１４から１８に係る被写体情報取得用プログラムを含むソフトウェアやファームウェアをパーソナルコンピュータ（ＰＣ）のほか、ビデオ再生装置（ビデオデッキ、テレビ）やデジタルカメラ、携帯電話等の映像再生機能を有する装置に適用することにより、本発明の音声付き映像データ処理装置及び音声付き映像データ処理方法を実現することができる。
【発明の効果】
【００２９】
本発明によれば、撮影した被写体に係る被写体情報を読み出して、画像と関連付けて保存することができる。これにより、画像の再生時に被写体情報を画像と一緒に表示させたり、被写体情報を画像の分類に利用することができる。また、撮影条件情報を利用することにより、例えば、複数の被写体を撮影した際に、被写体ごとの合焦状態等に基づいて主要被写体を特定し、この主要被写体の被写体情報を選択的に取得して保存することができる。
【発明を実施するための最良の形態】
【００３０】
以下、添付図面に従って本発明に係る被写体情報取得装置、被写体情報取得方法及び被写体情報取得用プログラムの好ましい実施の形態について説明する。
【００３１】
図１は、本発明の第１の実施形態に係る被写体情報取得装置を備える撮影装置の説明図である。図１に示すように、撮影装置１０は、撮影した被写体Ａに取り付けられた位置情報発信器１００Ａから発信される被写体の位置情報信号Ｓ１Ａを受信するための位置情報受信部１２を備える。ここで、被写体の位置情報とは、例えば、被写体が撮影時にいた場所を示す位置情報、ＧＰＳ情報である。なお、１枚の画像データに撮影される被写体は複数であってもよい。
【００３２】
図２は、本発明の第１の実施形態に係る撮影装置の主要構成を示すブロック図である。図２に示すように、ＣＰＵ２０は、バス２２を介して撮影装置１０内の各部に接続されており、操作スイッチ２４等からの操作入力に基づいて撮影装置１０の動作を制御する統括制御部である。操作スイッチ２４は、レリーズスイッチ２４Ａのほか、電源スイッチや十字キー等を含んでおり、ユーザからの操作入力を受け付ける操作部材である。レリーズスイッチ２４Ａは２段階式に構成され、レリーズスイッチ２４Ａを軽く押して止める「半押し（Ｓ１＝ＯＮ）」の状態で自動ピント合わせ（ＡＦ）及び自動露出制御（ＡＥ）が作動してＡＦとＡＥをロックし、「半押し」から更に押し込む「全押し（Ｓ２＝ＯＮ）」の状態で撮影が実行される。
【００３３】
メモリ２６は、ＣＰＵ２０が処理するプログラム及び制御に必要な各種データ等が格納されるＲＯＭや、ＣＰＵ２０が各種の演算処理等を行う作業用領域及び画像処理領域となるＳＤＲＡＭ等を有している。
【００３４】
外部通信インターフェース（外部通信Ｉ／Ｆ）２８は、ネットワークや外部出力機器（例えば、パーソナルコンピュータやテレビジョン、ディスプレイ、プリンタ、外部記録装置）等と接続するための機器で、所定のプロトコルにしたがって各種データの送受信を行う。なお、データの送受信の方式は、例えば、インターネットや無線ＬＡＮ、有線ＬＡＮ、ＩｒＤＡ、Bluetooth等である。
【００３５】
撮像素子３２は、光学系（レンズ）３０を介して入射した光を受け止めて電気信号に変換する素子であり、例えば、ＣＣＤである。この電気信号は、図示せぬプリアンプによって増幅され、Ａ／Ｄ変換器３４によってデジタル信号に変換されて、画像処理部３６に入力される。
【００３６】
本実施形態の撮影装置１０は、撮影するための撮影モードと、撮影した画像を表示、再生するための再生モードの２つの動作モードを備えており、動作モードの設定はユーザによる操作スイッチ２４からの操作入力により行われる。
【００３７】
撮影モード時には、画像処理部３６によって撮像素子３２から出力された電気信号が処理されて画角確認用の画像データ（スルー画）が作成され、画像表示部（モニタ）３８に表示される。レリーズスイッチ２４Ａが操作されて画像が撮影されると、撮像素子３２から出力された電気信号が画像処理部３６によって処理されて保存用の画像データが作成される。この保存用の画像データは、記録メディア４０に所定のファイル形式で保存される。ここで、記録メディア４０は、例えば、半導体メモリ等である。一方、再生モード時には、画像処理部３６によって記録メディア４０に保存された画像データが読み出されて表示用の画像データが作成され、モニタ３８に表示される。
【００３８】
本実施形態の撮影装置１０は、位置情報受信部１２及び被写体情報記憶部１４を更に備える。位置情報受信部１２は、撮影した被写体Ａに取り付けられた位置情報発信器１００Ａから発信される被写体の位置情報を含む位置情報信号を受信するブロックである。また、被写体情報記憶部１４は、被写体に関する情報（被写体情報）を記憶するブロックである。ここで、被写体情報とは、例えば、被写体の位置情報、被写体を特定する情報、被写体に関する説明、名称等であり、例えば、被写体が動植物の場合には、その原産地、名称、学名、和名等である。
【００３９】
図１に示すように、位置情報受信部１２は、撮影装置１０のレンズ３０の正面方向に指向性を有するアンテナ１２Ａを備えており、画像の撮影時にレンズの正面３０にいる被写体、すなわち、撮影した被写体Ａから発信される位置情報信号のみを選択的に受信する一方、画像の撮影時にレンズの正面３０にいない被写体から発信される位置情報信号は受信しない。位置情報受信部１２によって受信された位置情報信号Ｓ１Ａは、ＣＰＵ２０に入力される。
【００４０】
図３は、ＣＰＵ２０の主要構成を示す機能ブロック図である。図３に示すように、ＣＰＵ２０は、位置情報取得部２００、被写体特定部２０２及び被写体情報取得・保存部２０４を備える。位置情報取得部２００は、位置情報受信部１２から入力された位置情報信号Ｓ１Ａから、撮影した被写体Ａの位置情報を取得する。そして、被写体特定部２０２は、取得した被写体Ａの位置情報に基づいて、被写体情報記憶部１４を参照し、撮影した被写体を被写体Ａと特定する。また、被写体情報取得・保存部２０４は、被写体情報記憶部１４を検索して、特定した被写体Ａの被写体情報を取得する。被写体情報取得・保存部２０４は、上記のようにして取得した被写体Ａの被写体情報と、撮影した被写体Ａの画像データとを関連付けて（例えば、被写体情報を含むデータと画像データを相互に関連付けるか、又は画像データのタグ情報に被写体情報を書き込んで）記録メディア４０に保存する。
【００４１】
次に、撮影装置１０を用いた被写体情報取得方法の処理の流れについて、図４を参照して説明する。図４は、本発明の第１の実施形態に係る被写体情報取得方法を示すフローチャートである。
【００４２】
まず、撮影装置１０により被写体Ａを撮影するとともに（ステップＳ１０）、撮影した被写体Ａに取り付けられた位置情報発信器１００Ａより位置情報信号Ｓ１Ａを受信する。そして、受信した位置情報信号Ｓ１Ａから、撮影した被写体Ａの位置情報を取得する（ステップＳ１２）。
【００４３】
次に、ステップＳ１２において取得した被写体Ａの位置情報に基づいて、撮影した被写体を被写体Ａと特定し（ステップＳ１４）、被写体情報記憶部１４を検索して被写体Ａの被写体情報を取得する（ステップＳ１６）。そして、撮影した被写体Ａの画像データと被写体情報とを関連付けて保存する（ステップＳ１８）。
【００４４】
本実施形態によれば、撮影した被写体から取得した位置情報に基づいて、撮影装置１０内に記憶された被写体情報を読み出して、画像データと関連付けて保存することができる。これにより、画像の再生時に被写体情報を画像と一緒に表示させたり、被写体情報を画像の分類に利用することができる。
【００４５】
なお、上記の実施形態では、撮影時に被写体の位置情報を取得するようにしたが、例えば、ＧＰＳ機能を有する撮影装置により撮影された画像から、上記した撮影条件情報を参照することにより、被写体の位置情報を取得して、撮影した被写体の被写体情報を取得するようにしてもよい。
【００４６】
次に、本発明の第２の実施形態について、図５から図８を参照して説明する。なお、以下の説明では、上記第１の実施形態と同様の構成については同一の符号を付して説明を省略する。
【００４７】
図５は、本発明の第２の実施形態に係る被写体情報取得装置を備える撮影装置の説明図である。図５に示すように、本実施形態の撮影装置１０の位置情報受信部１２は、複数の被写体Ａ、Ｂ、…を１枚の画像データに撮影するとともに、これらの複数の被写体Ａ、Ｂ、…の位置情報発信器１００Ａ、１００Ｂ、…からそれぞれ位置情報信号Ｓ１Ａ、Ｓ１Ｂ、…を受信する。
【００４８】
図６は、本発明の第２の実施形態に係る撮影装置の主要構成を示すブロック図である。図６に示すように、本実施形態の撮影装置１０は、位置・向き情報取得部１６を更に備える。位置・向き情報取得部１６は、撮影装置１０の地理的な位置情報やレンズ３０の向き情報を取得するためのブロックであり、例えば、ＧＰＳ情報を取得するＧＰＳ情報取得部や、レンズ３０の向きを測定するための方位磁石等を備える。
【００４９】
図７は、ＣＰＵ２０の主要構成を示す機能ブロック図である。図７に示すように、ＣＰＵ２０は、位置情報取得部２００、被写体特定部２０２、被写体情報取得・保存部２０４、撮影条件情報取得部２０６及び被写体位置算出部２０８を備える。
【００５０】
位置情報取得部２００は、位置情報受信部１２から入力された位置情報信号Ｓ１Ａ、Ｓ１Ｂ、…から、撮影した被写体Ａ、Ｂ、…の位置情報（受信位置情報）を取得する。
【００５１】
撮影条件情報取得部２０６は、被写体Ａ、Ｂ、…の撮影時の撮影条件情報を取得する。ここで、撮影条件情報とは、例えば、被写体Ａ、Ｂ、…の撮影時における撮影装置１０の位置情報、向き情報及びレンズ３０のフォーカス位置、ズーム位置に関する情報である。被写体位置算出部２０８は、上記撮影条件情報のうちフォーカス位置、ズーム位置に関する情報に基づいて、撮影時に合焦していた被写体と撮影装置１０との間の距離を算出し、撮影時における撮影装置１０の位置情報、向き情報と、上記算出した距離から、撮影時に合焦していた被写体の位置（算出位置情報）を算出する。
【００５２】
被写体特定部２０２は、撮影時に合焦していた被写体の算出位置情報と、被写体Ａ、Ｂ、…の受信位置情報とを比較して、被写体Ａ、Ｂ、…のうちから主要被写体を特定する。そして、特定した主要被写体の受信位置情報又は算出位置情報を用いて被写体情報記憶部１４を参照して、主要被写体を、例えば、被写体Ａと特定する。また、被写体情報取得・保存部２０４は、被写体情報記憶部１４を検索して、特定した主要被写体Ａの被写体情報を取得する。被写体情報取得・保存部２０４は、上記のようにして取得した主要被写体Ａの被写体情報と、撮影した被写体Ａの画像データとを関連付けて記録メディア４０に保存する。
【００５３】
次に、撮影装置１０を用いた被写体情報取得方法の処理の流れについて、図８を参照して説明する。図８は、本発明の第２の実施形態に係る被写体情報取得方法を示すフローチャートである。
【００５４】
まず、撮影装置１０により被写体Ａ、Ｂ、…を１枚の画像データに撮影するとともに（ステップＳ２０）、撮影した被写体Ａ、Ｂ、…に取り付けられた位置情報発信器１００Ａ、１００Ｂ、…よりそれぞれ位置情報信号Ｓ１Ａ、Ｓ１Ｂ、…を受信する。そして、受信した位置情報信号Ｓ１Ａ、Ｓ１Ｂ、…から、撮影した被写体Ａの位置情報を取得する（ステップＳ２２）。
【００５５】
また、撮影条件情報を取得して（ステップＳ２４）、取得した撮影条件情報と、被写体の位置情報に基づいて、主要被写体を被写体Ａと特定し（ステップＳ２６）、被写体情報記憶部１４を検索して主要被写体Ａの被写体情報を取得する（ステップＳ２８）。そして、主要被写体Ａの画像データと被写体情報とを関連付けて保存する（ステップＳ３０）。
【００５６】
本実施形態によれば、複数の被写体を撮影した場合に、被写体から取得した位置情報及び撮影条件情報に基づいて、主要被写体を特定し、撮影装置１０内に記憶された主要被写体の被写体情報を読み出して、画像データと関連付けて保存することができる。
【００５７】
なお、本実施形態では、撮影条件情報から主要被写体を特定するようにしたが、例えば、主要被写体以外の被写体を指定して、指定した被写体の被写体情報を画像データとともに保存するようにしてもよい。
【００５８】
次に、本発明の第３の実施形態について、図９から図１２を参照して説明する。なお、以下の説明では、上記第１及び第２の実施形態と同様の構成については同一の符号を付して説明を省略する。
【００５９】
図９は、本発明の第３の実施形態に係る被写体情報取得装置を備える撮影装置の説明図である。図９に示すように、本実施形態の撮影装置１０の位置情報受信部１２は、被写体Ａを１枚の画像データに撮影するとともに、撮影した被写体Ａの位置情報発信器１００Ａから位置情報信号Ｓ１Ａを受信する。本実施形態の撮影装置１０は、ネットワーク１０２（例えば、無線ネットワーク）を介して被写体情報提供サーバ１０４と通信する機能を有する。撮影装置１０は、被写体情報提供サーバ１０４から所定の認証又は端末の識別等の処理を経て、位置情報信号Ｓ１Ａから得た位置情報を、被写体情報記憶装置１０６から被写体情報Ｄ１を取得する。
【００６０】
図１０は、本発明の第３の実施形態に係る撮影装置の主要構成を示すブロック図である。図１０に示すように、本実施形態の撮影装置１０は、本実施形態の撮影装置１０は、撮影した被写体Ａに取り付けられた位置情報発信器１００Ａから発信される被写体の位置情報を含む位置情報信号を受信するための位置情報受信部１２を備える。
【００６１】
図１１は、ＣＰＵ２０の主要構成を示す機能ブロック図である。図１１に示すように、ＣＰＵ２０は、位置情報取得部２００、被写体特定部２０２、被写体情報取得・保存部２０４及び位置情報送信部２１０を備える。
【００６２】
位置情報取得部２００は、位置情報受信部１２から入力された位置情報信号Ｓ１Ａから、撮影した被写体の位置情報（受信位置情報）を取得する。位置情報送信部２１０は、外部通信Ｉ／Ｆ２８を介して、取得した位置情報を被写体情報提供サーバ１０４に送信する。被写体特定部２０２は、被写体Ａの位置情報に基づいて、被写体情報記憶装置１０６を参照し、撮影した被写体を被写体Ａと特定する。また、被写体情報取得・保存部２０４は、被写体情報記憶装置１０６を検索して、特定した被写体Ａの被写体情報を取得する。被写体情報取得・保存部２０４は、上記のようにして取得した被写体Ａの被写体情報と、撮影した被写体Ａの画像データとを関連付けて記録メディア４０に保存する。
【００６３】
次に、撮影装置１０を用いた被写体情報取得方法の処理の流れについて、図１２を参照して説明する。図１２は、本発明の第３の実施形態に係る被写体情報取得方法を示すフローチャートである。
【００６４】
まず、撮影装置１０により被写体Ａを撮影するとともに（ステップＳ４０）、撮影した被写体Ａに取り付けられた位置情報発信器１００Ａより位置情報信号Ｓ１Ａを受信する。そして、受信した位置情報信号Ｓ１Ａから、撮影した被写体Ａの位置情報を取得する（ステップＳ４２）。
【００６５】
次に、ステップＳ４２において取得した被写体Ａの位置情報を被写体情報提供サーバ１０４に送信して（ステップＳ４４）、撮影した被写体を被写体Ａと特定し（ステップＳ４６）、被写体情報記憶装置１０６を検索して被写体Ａの被写体情報を取得する（ステップＳ４８）。そして、撮影した被写体Ａの画像データと被写体情報とを関連付けて保存する（ステップＳ５０）。
【００６６】
本実施形態によれば、撮影した被写体から取得した位置情報に基づいて、ネットワークから被写体情報を取得して、画像データと関連付けて保存することができる。
【００６７】
次に、本発明の第４の実施形態について、図１３から図１５を参照して説明する。なお、以下の説明では、上記第１から第３の実施形態と同様の構成については同一の符号を付して説明を省略する。
【００６８】
本実施形態の撮影装置１０は、複数の被写体Ａ、Ｂ、…を１枚の画像データに撮影するとともに、これらの複数の被写体Ａ、Ｂ、…の位置情報発信器１００Ａ、１００Ｂ、…からそれぞれ位置情報信号Ｓ１Ａ、Ｓ１Ｂ、…を受信する。
【００６９】
図１３は、本発明の第４の実施形態に係る撮影装置の主要構成を示すブロック図である。図１３に示すように、本実施形態の撮影装置１０は、本実施形態の撮影装置１０は、撮影した被写体Ａに取り付けられた位置情報発信器１００Ａから発信される被写体の位置情報を含む位置情報信号を受信するための位置情報受信部１２と、撮影装置１０の地理的な位置情報やレンズ３０の向き情報を取得するための位置・向き情報取得部１６とを備える。位置情報受信部１２は、受信した位置情報信号Ｓ１Ａ、Ｓ１Ｂ、…をＣＰＵ２０に入力する。
【００７０】
図１４は、ＣＰＵ２０の主要構成を示す機能ブロック図である。図１４に示すように、ＣＰＵ２０は、位置情報取得部２００、被写体特定部２０２、被写体情報取得・保存部２０４、撮影条件情報取得部２０６、被写体位置算出部２０８及び情報送信部２１２を備える。
【００７１】
位置情報取得部２００は、位置情報受信部１２から入力された位置情報信号Ｓ１Ａ、Ｓ１Ｂ、…から、撮影した被写体Ａ、Ｂ、…の位置情報（受信位置情報）を取得する。撮影条件情報取得部２０６は、被写体Ａ、Ｂ、…の撮影時の撮影条件情報（例えば、被写体Ａ、Ｂ、…の撮影時における撮影装置１０の位置情報、向き情報及びレンズ３０のフォーカス位置、ズーム位置に関する情報）を取得する。情報送信部２１２は、外部通信Ｉ／Ｆ２８を介して、受信位置情報及び撮影条件情報を被写体情報提供サーバ１０４に送信する。
【００７２】
被写体位置算出部２０８は、上記撮影条件情報のうちフォーカス位置、ズーム位置に関する情報に基づいて、撮影時に合焦していた被写体と撮影装置１０との間の距離を算出し、撮影時における撮影装置１０の位置情報、向き情報と、上記算出した距離から、撮影時に合焦していた被写体の位置（算出位置情報）を算出する。被写体特定部２０２は、撮影時に合焦していた被写体の算出位置情報と、被写体Ａ、Ｂ、…の受信位置情報とを比較して、被写体Ａ、Ｂ、…のうちから主要被写体を特定する。そして、特定した主要被写体の受信位置情報又は算出位置情報を用いて被写体情報記憶装置１０６を参照して、主要被写体を、例えば、被写体Ａと特定する。また、被写体情報取得・保存部２０４は、被写体情報記憶装置１０６を検索して、特定した主要被写体Ａの被写体情報Ｄ１を取得する。被写体情報取得・保存部２０４は、上記のようにして取得した主要被写体Ａの被写体情報Ｄ１と、撮影した被写体Ａの画像データとを関連付けて記録メディア４０に保存する。
【００７３】
次に、撮影装置１０を用いた被写体情報取得方法の処理の流れについて、図１５を参照して説明する。図１５は、本発明の第４の実施形態に係る被写体情報取得方法を示すフローチャートである。
【００７４】
まず、撮影装置１０により被写体Ａ、Ｂ、…を１枚の画像データに撮影するとともに（ステップＳ６０）、撮影した被写体Ａ、Ｂ、…に取り付けられた位置情報発信器１００Ａ、１００Ｂ、…よりそれぞれ位置情報信号Ｓ１Ａ、Ｓ１Ｂ、…を受信する。そして、受信した位置情報信号Ｓ１Ａ、Ｓ１Ｂ、…から、撮影した被写体Ａの位置情報を取得して（ステップＳ６２）、被写体情報提供サーバ１０２に送信する（ステップＳ６４）。また、撮影条件情報を取得して、被写体情報提供サーバ１０２に送信する（ステップＳ６６）。
【００７５】
次に、取得した撮影条件情報と、被写体の位置情報に基づいて、主要被写体を被写体Ａと特定し（ステップＳ６８）、被写体情報記憶装置１０６を検索して主要被写体Ａの被写体情報Ｄ１を取得する（ステップＳ７０）。そして、主要被写体Ａの画像データと被写体情報Ｄ１とを関連付けて保存する（ステップＳ７２）。
【００７６】
本実施形態によれば、複数の被写体を撮影した場合に、被写体から取得した位置情報及び撮影条件情報に基づいて、主要被写体を特定し、ネットワークから主要被写体の被写体情報を取得して、画像データと関連付けて保存することができる。
【００７７】
なお、上記第３及び第４の実施形態では、例えば、所定時間おき又は被写体の移動の移動を検出するごとに、各被写体Ａ、Ｂ、…に取り付けられた位置情報発信器１００Ａ、１００Ｂ、…から、被写体情報提供サーバ１０４に位置情報を送信して、被写体情報記憶装置１０６に保存された各被写体の位置情報を更新するようにしてもよい。これにより、動きの多い被写体についても被写体情報を確実に取得できる。
【００７８】
なお、上記第１から第４の実施形態では、被写体から受信した位置情報を用いて被写体を特定したが、位置情報以外の被写体と特定するための被写体特定情報を用いて被写体を特定するようにしてもよい（例えば、被写体の固有名詞等）。
【００７９】
次に、本発明の第５の実施形態について、図１６から図１９を参照して説明する。なお、以下の説明では、上記第１から第４の実施形態と同様の構成については同一の符号を付して説明を省略する。
【００８０】
図１６は、本発明の第５の実施形態に係る被写体情報取得装置を備える撮影装置の説明図であり、図１７は、図１６に示す撮影装置の主要構成を示すブロック図である。図１６及び図１７に示すように、撮影装置１０は、撮影した被写体Ａに取り付けられた情報発信器１０８Ａから発信される被写体の位置情報信号Ｓ１Ａ及び被写体情報信号Ｓ２Ａを受信するための情報受信部１８を備える。
【００８１】
図１６に示すように、情報受信部１８は、撮影装置１０のレンズ３０の正面方向に指向性を有するアンテナ１８Ａを備えており、画像の撮影時にレンズの正面３０にいる被写体、すなわち、撮影した被写体Ａから発信される位置情報信号Ｓ１Ａ及び被写体情報信号Ｓ２Ａのみを選択的に受信する一方、画像の撮影時にレンズの正面３０にいない被写体から発信される位置情報信号及び被写体情報信号は受信しない。情報受信部１８によって受信された位置情報信号Ｓ１Ａ及び被写体情報信号Ｓ２Ａは、ＣＰＵ２０に入力される。
【００８２】
図１８は、ＣＰＵ２０の主要構成を示す機能ブロック図である。図１８に示すように、ＣＰＵ２０は、位置情報取得部２００及び被写体情報取得・保存部２０４を備える。位置情報取得部２００は、情報受信部１８から入力された位置情報信号Ｓ１Ａから、撮影した被写体Ａの位置情報を取得する。また、被写体情報取得・保存部２０４は、情報受信部１８から入力された被写体情報信号Ｓ２Ａから、撮影した被写体Ａの被写体情報を取得する。被写体情報取得・保存部２０４は、上記のようにして取得した被写体Ａの被写体情報と、撮影した被写体Ａの画像データとを関連付けて記録メディア４０に保存する。
【００８３】
次に、撮影装置１０を用いた被写体情報取得方法の処理の流れについて、図１９を参照して説明する。図１９は、本発明の第５の実施形態に係る被写体情報取得方法を示すフローチャートである。
【００８４】
まず、撮影装置１０により被写体Ａを撮影するとともに（ステップＳ８０）、撮影した被写体Ａに取り付けられた情報発信器１０８Ａより位置情報信号Ｓ１Ａを受信して、受信した位置情報信号Ｓ１Ａから、撮影した被写体Ａの位置情報を取得する（ステップＳ８２）。また、撮影した被写体Ａに取り付けられた情報発信器１０８Ａより被写体情報信号Ｓ２Ａを受信して、受信した被写体情報信号Ｓ２Ａから、撮影した被写体Ａの被写体情報を取得する（ステップＳ８４）。そして、撮影した被写体Ａの画像データと被写体情報とを関連付けて保存する（ステップＳ８６）。
【００８５】
本実施形態によれば、撮影時に、撮影した被写体から位置情報及び被写体情報を取得して、画像データと関連付けて保存することができる。
【００８６】
次に、本発明の第６の実施形態について、図２０及び図２１を参照して説明する。なお、以下の説明では、上記第１から第５の実施形態と同様の構成については同一の符号を付して説明を省略する。
【００８７】
図２０は、本発明の第６の実施形態に係る撮影装置の主要構成を示すブロック図である。本実施形態の撮影装置１０は、複数の被写体Ａ、Ｂ、…を１枚の画像データに撮影するとともに、これらの複数の被写体Ａ、Ｂ、…の位置情報発信器１００Ａ、１００Ｂ、…からそれぞれ位置情報信号Ｓ１Ａ、Ｓ１Ｂ、…を受信する。
【００８８】
図２０に示すように、本実施形態の撮影装置１０は、撮影した被写体Ａに取り付けられた情報発信器１０８Ａから発信される被写体の位置情報信号Ｓ１Ａ及び被写体情報信号Ｓ２Ａを受信するための情報受信部１８と、撮影装置１０の地理的な位置情報やレンズ３０の向き情報を取得するための位置・向き情報取得部１６を備える。
【００８９】
ＣＰＵ２０は、位置情報取得部２００、被写体特定部２０２、被写体情報取得・保存部２０４、撮影条件情報取得部２０６及び被写体位置算出部２０８を備える（図７等参照）。
【００９０】
位置情報取得部２００は、位置情報受信部１２から入力された位置情報信号Ｓ１Ａ、Ｓ１Ｂ、…から、撮影した被写体Ａ、Ｂ、…の位置情報（受信位置情報）を取得する。
【００９１】
撮影条件情報取得部２０６は、被写体Ａ、Ｂ、…の撮影時の撮影条件情報（例えば、被写体Ａ、Ｂ、…の撮影時における撮影装置１０の位置情報、向き情報及びレンズ３０のフォーカス位置、ズーム位置に関する情報）を取得する。被写体位置算出部２０８は、上記撮影条件情報のうちフォーカス位置、ズーム位置に関する情報に基づいて、撮影時に合焦していた被写体と撮影装置１０との間の距離を算出し、撮影時における撮影装置１０の位置情報、向き情報と、上記算出した距離から、撮影時に合焦していた被写体の位置（算出位置情報）を算出する。
【００９２】
被写体特定部２０２は、撮影時に合焦していた被写体の算出位置情報と、被写体Ａ、Ｂ、…の受信位置情報とを比較して、被写体Ａ、Ｂ、…のうちから主要被写体を特定する。また、被写体情報取得・保存部２０４は、特定した主要被写体Ａの情報発信器１０８Ａから発信される被写体情報信号Ｓ２Ａから、主要被写体Ａの被写体情報を取得する。被写体情報取得・保存部２０４は、上記のようにして取得した主要被写体Ａの被写体情報と、撮影した被写体Ａの画像データとを関連付けて記録メディア４０に保存する。
【００９３】
次に、撮影装置１０を用いた被写体情報取得方法の処理の流れについて、図２１を参照して説明する。図２１は、本発明の第６の実施形態に係る被写体情報取得方法を示すフローチャートである。
【００９４】
まず、撮影装置１０により被写体Ａ、Ｂ、…を１枚の画像データに撮影するとともに（ステップＳ９０）、撮影した被写体Ａ、Ｂ、…に取り付けられた位置情報発信器１００Ａ、１００Ｂ、…よりそれぞれ位置情報信号Ｓ１Ａ、Ｓ１Ｂ、…を受信する。そして、受信した位置情報信号Ｓ１Ａ、Ｓ１Ｂ、…から、撮影した被写体Ａの位置情報を取得する（ステップＳ９２）。
【００９５】
また、撮影条件情報を取得して（ステップＳ９４）、取得した撮影条件情報と、被写体の位置情報に基づいて、主要被写体を被写体Ａと特定し（ステップＳ９６）、受信した位置情報信号Ｓ２Ａから主要被写体Ａの被写体情報を取得する（ステップＳ９８）。そして、主要被写体Ａの画像データと被写体情報とを関連付けて保存する（ステップＳ１００）。
【００９６】
本実施形態によれば、複数の被写体を撮影した場合に、被写体から取得した位置情報及び撮影条件情報に基づいて、主要被写体を特定し、特定した主要被写体から被写体情報を取得して、画像データと関連付けて保存することができる。
【００９７】
なお、上記の実施形態では、撮影時に被写体の位置情報を取得するようにしたが、例えば、ＧＰＳ機能を有する撮影装置の場合には、撮影時の撮影装置のＧＰＳ情報及び上記した撮影条件情報に基づいて、被写体の位置情報を取得して、この位置情報に基づいて、撮影した被写体の被写体情報を取得するようにしてもよい。
【図面の簡単な説明】
【００９８】
【図１】本発明の第１の実施形態に係る被写体情報取得装置を備える撮影装置の説明図
【図２】本発明の第１の実施形態に係る撮影装置１０の主要構成を示すブロック図
【図３】ＣＰＵ２０の主要構成を示す機能ブロック図
【図４】本発明の第１の実施形態に係る被写体情報取得方法を示すフローチャート
【図５】本発明の第２の実施形態に係る被写体情報取得装置を備える撮影装置の説明図
【図６】本発明の第２の実施形態に係る撮影装置の主要構成を示すブロック図
【図７】ＣＰＵ２０の主要構成を示す機能ブロック図
【図８】本発明の第２の実施形態に係る被写体情報取得方法を示すフローチャート
【図９】本発明の第３の実施形態に係る被写体情報取得装置を備える撮影装置の説明図
【図１０】本発明の第３の実施形態に係る撮影装置の主要構成を示すブロック図
【図１１】ＣＰＵ２０の主要構成を示す機能ブロック図
【図１２】本発明の第３の実施形態に係る被写体情報取得方法を示すフローチャート
【図１３】本発明の第４の実施形態に係る撮影装置の主要構成を示すブロック図
【図１４】ＣＰＵ２０の主要構成を示す機能ブロック図
【図１５】本発明の第４の実施形態に係る被写体情報取得方法を示すフローチャート
【図１６】本発明の第５の実施形態に係る被写体情報取得装置を備える撮影装置の説明図
【図１７】図１６に示す撮影装置の主要構成を示すブロック図
【図１８】ＣＰＵ２０の主要構成を示す機能ブロック図
【図１９】本発明の第５の実施形態に係る被写体情報取得方法を示すフローチャート
【図２０】本発明の第６の実施形態に係る撮影装置の主要構成を示すブロック図
【図２１】本発明の第６の実施形態に係る被写体情報取得方法を示すフローチャート
【符号の説明】
【００９９】
１０…撮影装置、１２…位置情報受信部、１４…被写体情報記憶部、１６…位置・向き情報取得部、１８…、２０…ＣＰＵ、１００Ａ、１００Ｂ…位置情報発信器、１０２…ネットワーク、１０４…被写体情報提供サーバ、１０６…被写体情報記憶装置、１０８Ａ、１０８Ｂ…情報発信器、２００…位置情報取得部、２０２…被写体特定部、２０４…被写体情報取得・保存部、２０６…撮影条件情報取得部、２０８…被写体位置算出部、２１０…位置情報送信部、２１２…情報送信部
【図１】
2007124034.tif 000003
【図２】
2007124034.tif 000004
【図３】
2007124034.tif 000005
【図４】
2007124034.tif 000006
【図５】
2007124034.tif 000007
【図６】
2007124034.tif 000008
【図７】
2007124034.tif 000009
【図８】
2007124034.tif 000010
【図９】
2007124034.tif 000011
【図１０】
2007124034.tif 000012
【図１１】
2007124034.tif 000013
【図１２】
2007124034.tif 000014
【図１３】
2007124034.tif 000015
【図１４】
2007124034.tif 000016
【図１５】
2007124034.tif 000017
【図１６】
2007124034.tif 000018
【図１７】
2007124034.tif 000019
【図１８】
2007124034.tif 000020
【図１９】
2007124034.tif 000021
【図２０】
2007124034.tif 000022
【図２１】
2007124034.tif 000023